(57)【要約】【課題】  押ボタン部材を手やこぶしで叩いたりするなどして乱暴に取り扱っても、ディスプレイ装置が故障したり破損したりすることを可及的に防止した、ディスプレイ装置内蔵型押ボタンスイッチを提供する。【解決手段】  スイッチボディと、このスイッチボディに対して上下方向へスライド可能に付勢して取り付けられたところの押ボタン部材と、前記スイッチボディへ取り付けられ前記押ボタン部材によりＯＮ、ＯＦＦされるスイッチと、前記スイッチボディ内へ取り付けられつつ前記押ボタン部材のクリアーキャップの中に収納されたディスプレイ装置とから成り、ディスプレイ装置はディスプレイ装置固定台を介してスイッチボディへ取り付けることで解決した。【選択図】        図１
2010287469.tif 000002
【特許請求の範囲】
【請求項１】
スイッチボディと、このスイッチボディに対して上下方向へスライド可能に付勢して取り付けられたところの押ボタン部材と、前記スイッチボディへ取り付けられ前記押ボタン部材によりＯＮ、ＯＦＦされるスイッチと、前記スイッチボディ内へ取り付けられつつ前記押ボタン部材のクリアーキャップの中に収納されたディスプレイ装置とから成り、このディスプレイ装置はディスプレイ装置固定台を介してスイッチボディへ取り付けられていることを特徴とする、ディスプレイ装置内蔵型押ボタンスイッチ。
【請求項２】
前記押ボタン部材は、前記スイッチボディに対して上下方向にスライド可能に付勢して取り付けられると共に、前記ディスプレイ装置固定台は取付脚部を有し、この取付脚部は前記押ボタン部材の底部に設けた挿通孔を弛挿して前記スイッチボディの底板に取り付けたことを特徴とする、請求項１に記載のディスプレイ装置内蔵型押ボタンスイッチ。
【請求項３】
前記スイッチは、前記スイッチボディに対して着脱可能に取り付けられていることを特徴とする、請求項１乃至２のいずれか１項に記載のディスプレイ装置内蔵型押ボタンスイッチ。
【請求項４】
前記ディスプレイ装置は、平面丸形状のスイッチボディに対して、平面円形状又は四角形状であることを特徴とする、請求項１に記載のディスプレイ装置内蔵型押ボタンスイッチ。
【請求項５】
前記スイッチボディの形状が平面四角形状であり、このスイッチボディに対して平面丸形状又は四角形状のディスプレイ装置を取り付けることを特徴とする、請求項１に記載のディスプレイ装置内蔵型押ボタンスイッチ。
【発明の詳細な説明】
【技術分野】
【０００１】
本発明は、ディスプレイ装置内蔵型押ボタンスイッチに関する。さらに詳しくは、ディスプレイ装置が押ボタンの動作と連動しないように工夫した、ディスプレイ装置内蔵型押ボタンスイッチに関する。
【背景技術】
【０００２】
従来、押ボタンスイッチには、ディスプレイ装置を内蔵し、押ボタンを通して、ディスプレイ装置に表示された、図形や文字等の画像を外部より見ることのできる、ディスプレイ装置内蔵型押ボタンスイッチが、例えば下記する特許文献１により公知である。
【先行技術文献】
【特許文献】
【０００３】
【特許文献１】特開２００３−０７７３５７号公報
【特許文献２】特開平０１−２３１２２４号公報
【０００４】
この特許文献１に記載されたディスプレイ装置内蔵型押ボタンスイッチは、押ボタン部材そのものに小型の例えば液晶表示パネルなどのディスプレイ装置が取り付けられており、このような構成のものが一般的である。
【０００５】
近年、アミューズメント機器と称せられるモニターテレビ画面付きのテレビゲーム機は大型化し、ますます、臨場感に富んだものに進化しており、そこに用いられる押ボタンスイッチもまた大型化している。
【０００６】
このようなテレビゲーム機のディスプレイ装置内蔵型押ボタンスイッチは、戦闘ゲームの時などのように、迅速性を必要とすることから、押ボタン部材を手やこぶしで叩いたりするなど、乱暴に取り扱われる場合が多い。かかる場合に、ディスプレイ装置が押ボタン部材に取り付けられ、押ボタン部材と一緒に動くように構成してあると、衝撃によりディスプレイ装置が故障したり壊れたりし易いという問題が生じた。この問題点はディスプレイ装置内臓型押ボタンスイッチの大型化に伴いディスプレイ装置が大きくなると、より深刻化するという問題が生じた。
【発明の概要】
【発明が解決しようとする課題】
【０００７】
本発明は以上の問題点に鑑みなされたもので、その目的とするところは、押ボタン部材を手やこぶしで叩いたりするなどして乱暴に取り扱っても、ディスプレイ装置が故障したり破損したりすることを可及的に防止した、ディスプレイ装置内蔵型押ボタンスイッチを提供せんとするにある。
【課題を解決するための手段】
【０００８】
上記した目的を達成するために本発明は、スイッチボディと、このスイッチボディに対して上下方向へスライド可能に付勢して取り付けられたところの押ボタン部材と、前記スイッチボディへ取り付けられ前記押ボタン部材によりＯＮ、ＯＦＦされるスイッチと、前記スイッチボディ内へ取り付けられつつ前記押ボタン部材のクリアーキャップの中に収納されたディスプレイ装置とから成り、ディスプレイ装置はディスプレイ装置固定台を介してスイッチボディへ取り付けられていることを特徴とする。
【０００９】
その際に本発明は、前記押ボタン部材を、前記スイッチボディに対して上下方向にスライド可能に付勢して取り付けると共に、前記ディスプレイ装置固定台は取付脚部を有し、この取付脚部を前記押ボタン部材の底部に設けた挿通孔を弛挿して前記スイッチボディの底板に取り付けることを特徴とする。
【００１０】
本発明はまた、前記スイッチを、前記スイッチボディに対して着脱可能に取り付けることを特徴とする。
【００１１】
さらに本発明は、前記ディスプレイ装置を、平面丸形状のスイッチボディに対して、平面円形状又は四角形状に形成することができる。
【００１２】
そして、本発明は、前記スイッチボディの形状を平面四角形状とし、前記スイッチボディに対して平面丸形状又は四角形状のディスプレイ装置を取り付けることを特徴とする。
【発明の効果】
【００１３】
本発明は以上に説明したように、ディスプレイ装置をスイッチボディへ取り付けて押ボタン部材の中に収容されていても当該押ボタンスイッチのスイッチ動作の影響を受けないように構成したので、押ボタン部材に衝撃を与えても、その衝撃や振動がディスプレイ装置へ伝わらないことから、ディスプレイ装置が押ボタン部材に対する乱暴な操作によって壊れたり、故障してしまうことを可及的に防止することができたものである。
【００１４】
また、スイッチボディはディスプレイ装置の形状や寸法に拘らず、その形状や寸法を自由に変更することができるという効果を奏し得る。
【００１５】
さらに、スイッチをスイッチボディより着脱可能とすることで、スイッチボディの形状を変えても取付筒体の形状、寸法を変えないことでスイッチを変える必要がなく、スイッチを共通化できるという効果を奏し得る。
【図面の簡単な説明】
【００１６】
【図１】本発明に係るディスプレイ装置内蔵型押ボタンスイッチを操作盤へ取り付けた状態の縦断面図である。
【図２】本発明に係るディスプレイ装置内蔵型押ボタンスイッチの平面図である。
【図３】本発明に係るディスプレイ装置内蔵型押ボタンスイッチの分解斜視図である。
【図４】本発明に係るディスプレイ装置内蔵型押ボタンスイッチのスイッチボディの平面図である。
【図５】本発明に係るディスプレイ装置内蔵型押ボタンスイッチのプランジャー本体の正面図である。
【図６】本発明に係るディスプレイ装置内蔵型押ボタンスイッチのスイッチボディの取付筒部とスイッチの取付筒体の説明図である。
【図７】本発明に係るディスプレイ装置内蔵型押ボタンスイッチのスイッチの平面図である。
【図８】本発明に係るディスプレイ装置内蔵型押ボタンスイッチの他の実施例を示す平面図である。
【図９】本発明に係るディスプレイ装置内蔵型押ボタンスイッチのさらに他の実施例である。
【発明を実施するための形態】
【００１７】
以下にこの発明の実施例を図面に基づいて詳細に説明するが、本発明の特徴は、スイッチボディと、このスイッチボディに対して上下方向へスライド可能に付勢して取り付けられたところの押ボタン部材と、前記スイッチボディへ取り付けられ前記押ボタン部材によりＯＮ、ＯＦＦされるスイッチと、前記スイッチボディ内へ取り付けられつつ前記押ボタン部材のクリアーキャップの中に収納されたディスプレイ装置とから成り、ディスプレイ装置はディスプレイ装置固定台を介してスイッチボディへ取り付けたところにある。
【実施例１】
【００１８】
図１乃至図７は、本発明に係るディスプレイ装置内蔵型押ボタンスイッチ１（以下単に押ボタンスイッチ１という場合がある。）の実施例を示し、この実施例１に係るディスプレイ装置内蔵型押ボタンスイッチ１を構成するスイッチボディ２は、上端縁部にフランジ部２ａを設けたところの側面略カップ形状を呈したボディ本体２ｂと、このボディ本体２ｂの中央部より垂下させた取付筒部２ｃから成り、ボディ本体２ｂの底板２ｎには等間隔に４個の取付孔２ｄが設けられている。取付筒部２ｃは外周に雄ネジ部２ｅを刻設すると共に、とくに図３と図６に示したように、下端部に等間隔に４個のガイド溝２ｆを設け、その内周のガイド溝２ｆを設けた側に所定の大間隙２ｇ、２ｇと小間隙２ｈ、２ｈを空けて４個の係止片２ｉ、２ｉ、２ｊ、２ｊが設けられている。各係止片２ｉ、２ｉと２ｊ、２ｊは互いに対角位置にあり、係止片２ｉ、２ｉが係止片２ｊ、２ｊと隣接する一方の大間隙２ｇ、２ｇの幅は、小間隙２ｈ、２ｈの幅よりも広く形成されている。また、係止片２ｉ、２ｉの上面一側には、突起２ｋ、２ｋが設けられている。さらにもう一方の係止片２ｊ、２ｊの側には、凸部２ｍ、２ｍが設けられている。
【００１９】
押ボタン部材３は、図1乃至図６に示したように、フランジ部２ａがない点を除いて、スイッチボディとほぼ同じ形状を呈したカップ状のプランジャー本体３ａと、このプランジャー本体３ａの上部に被せて取り付けた椀状を呈した透明の光透過性合成樹脂製のクリアーキャップ３ｂと、プランジャー本体３ａの略中央部より垂下させてスイッチボディの取付筒部内に収容されている２本のプランジャー部３ｃ、３ｃとから成り、プランジャー本体３ａの底部には、等間隔に４個の挿通孔３ｄ（２個のみ表示）が設けられると共に、プランジャー部３ｃの上部にはスプリング受け部３ｅが設けられ、プランジャー部３ｃの先端には係合片３ｆ、３ｆが設けられ、この係合片の一方が同時にスイッチ押圧部３ｇを兼ねている。
【００２０】
スイッチ４は、例えば上部一側に押ボタン４ａを露出させた押ボタン式のマイクロスイッチであり、スイッチ本体４ｂの上部には取付筒体４ｃが立設されている。この取付筒体４ｃには、その外周の対角位置に係止突起４ｄ、４ｄが突設されている。
【００２１】
とくに図１乃至図３に示したように、押ボタン部材３のプランジャー本体３ａの中には、ディスプレイ装置固定台５を介してその取付凹部５ｂに例えば液晶表示プレートから成る円盤状を呈したディスプレイ装置６が収容されており、ディスプレイ装置固定台５の下部より垂下させた４本（２本のみ図示）の取付脚部５ａをプランジャー本体３ａの底部に設けた挿通孔３ｄへ弛挿させてスイッチボディ２の底板２ｎに設けた取付孔２ｄへ固着させている。即ち、挿通孔３ｄの内径は取付脚部５ａの外径より大きく形成されることによって間隙ａが設けられており、さらに、ディスプレイ装置固定台５とプランジャー本体３ａとの間には間隙ｂが設けられることにより、押ボタン部材３に対する衝撃、及びこの衝撃の伴う振動や揺れがディスプレイ装置固定台５、しかしてディスプレイ装置６へ伝わらないように工夫されている。ディスプレイ装置６からは固定脚６ａが垂下され、この固定脚６ａは取付脚部５ａに設けた取付孔５ｃへ挿入固定されている。ディスプレイ装置６からはさらにハーネス７が導出され、このハーネス７は固定脚６ａ内を貫過してスイッチボディ２の外へ導かれてコネクター８に接続されている。
【００２２】
弾性手段９は、例えば圧縮コイルスプリングであり、とくに図１に示したように、プランジャー部３ｃの内側に設けたスプリング受け部３ｅとスイッチ４の取付筒体４ｃに設けた係止突起４ｄとの間に弾設され、押ボタン部材３を常に上方向へ摺動付勢させている。この押ボタン部材３はプランジャー部３ｃの下部に設けた係合片３ｆがスイッチボディ２の取付筒部２ｃの下端部と係合している。尚、係合片３ｆの一つはスイッチ４に対するスイッチ押圧部３ｇを兼ねている。
【００２３】
押ボタンスイッチ１を例えばテレビゲーム機の操作盤１０へ取り付けるには、プランジャー部３ｃよりスイッチ４を取り外した状態で、とくに図１に示したように、操作盤１０に設けたところの取付孔１０ａへスイッチボディ２の取付筒部２ｃの側より挿入させて、フランジ部２ａを取付孔１０ａへ係止させる。次いで、椀状を呈した取付部材１１の取付筒部１１ａをスイッチボディ２の雄ネジ部２ｅへ嵌めこんだ後、雄ネジ部２ｅへ締付ナット１２を螺合させて締め付けると、スイッチボディ２はフランジ部２ａと取付部材１１の上端部との間で操作盤１０へ取り付けられることになる。後はスイッチ４をプランジャー部３ｃへ取り付けることで、押ボタンスイッチ１の操作盤１０への組み付けが完了する。尚、図１に指示記号１１ｂで示したものは、取付脚部５ａの下端部を逃がすための逃がし孔である。
【００２４】
次いでスイッチ４のスイッチボディ２への取り付けであるが、スイッチボディ２とスイッチ４は着脱可能に構成されており、組立時には、スイッチ４の取付筒体４ｃの方からスイッチボディ２の取付筒部２ｃにあてがい、その係止突起４ｄ、４ｄを取付筒部２ｃの大間隙２ｇ、２ｇより挿入させ、取付筒部２ｃの先端がスイッチ本体４ｂの上面に突き当たったところで突起２ｋ、２ｋを設けた側とは反対側（突起２ｋ、２ｋの方向へはこの突起２ｋ、２ｋに当り回転はできない）の方向へ回すと、係止片２ｉ、２ｉと係合しつつ回転して、係止突起４ｄ、４ｄが突起２ｋ、２ｋに突き当たるので、ここで停止させると、スイッチ４はスイッチボディ２の取付筒部２ｃへ取り付けられる。スイッチボディ２よりスイッチ４を取り外す場合には、装着時の時とは逆に回転させて係止突起４ｄ、４ｄと係止片２ｉ、２ｉとの係合を外した後、大間隙２ｇ、２ｇより係止突起４ｄ、４ｄを抜いて取り外すことになる。
【００２５】
次で、押ボタンスイッチ１の操作時の動作について説明すると、図２に示したように、押ボタン部材３のクリアーキャップ３ｂを手で押すと、該クリアーキャップ３ｂは、弾性手段９の弾力に抗してプランジャー本体３ａと共にボディ本体２ｂの中へ押し込まれ、当該ボディ本体２ｂの底面へプランジャー本体３ａの底部が当接することで停止する。尤もここの所は、プランジャー本体３ａの底部がボディ本体２ｂの底部へ当たらないように構成すれば、なお好ましいことになる。プランジャー本体３ａが下降したときに、同時にプランジャー部３ｃの係合片３ｆが下方へ移動してそのスイッチ押圧部３ｇでスイッチ４の押ボタン４ａを押してスイッチ動作させるものである。
【００２６】
クリアーキャップ３ｂより手を離すと、弾性手段９の弾力によりプランジャー本体３ａはクリアーキャップ３ｂと共に元位置に戻り、係合片３ｆ、３ｆが取付筒部２ｃの下端部と係合することにより係止させられる。スイッチ操作の際に押ボタン部材３が上下動作するが、プランジャー本体３ａとディスプレイ装置固定台５とは連動することなく、ボディ本体２ｂ内で上下動するのみであるので、ディスプレイ装置固定台５とディスプレイ装置６は何ら動かされることなく定位置を保つことになる。
【００２７】
したがって、押ボタン部材３を乱暴に叩いても、上述したように、その衝撃はディスプレイ装置６へ直接に伝わることがないので、当該ディスプレイ装置６が衝撃により故障したり壊れてしまったりすることを可及的に防止することができるものである。
【００２８】
また、ディスプレイ装置は画面が広いので、さまざまな映像を表示することができ、その画面を楽しむことや、テレビゲーム機に対するさまざまな指示、状態を表示させてこれを行ない、楽しむことができるものである。
【実施例２】
【００２９】
図８は本発明に係るディスプレイ装置内蔵型押ボタンスイッチの他の実施例を示す。この実施例２に係るディスプレイ装置内蔵型押ボタンスイッチ１５は、スイッチボディ１６の形状は実施例１のものと同じように平面円形状であるが、ディスプレイ装置１７の形状が平面四角形状を呈している点が、実施例１のものと相違する。がしかし、他の構成は実施例１のものと同じであるので説明を省略する。
【００３０】
このように実施すると、実施例１のものと同じ口径のスイッチボディの場合には、ディスプレイ装置１７の表示面積は若干小さくなるが、画像を表示した場合に表示画面が見易いという効果を奏し得る。
【実施例３】
【００３１】
図９は本発明に係るディスプレイ装置内蔵型押ボタンスイッチのさらに他の実施例を示す。この実施例３に係るディスプレイ装置内蔵型押ボタンスイッチ２０は、スイッチボディ２１の形状が先の実施例のものと異なり、平面四角形状を呈し、ディスプレイ装置２２も平面四角形状を呈している。
【００３２】
このように実施すると、ディスプレイ装置の表示画面を大きくすることができ、とくに動画の表示を行う際に有利である。
【００３３】
尚、以上の実施例では、ディスプレイ装置を液晶表示装置として説明したが、他にもＥＬ、プラズマディスプレイ装置等のものに変えることができる。
【産業上の利用可能性】
【００３４】
本発明は以上のように構成したので、ディスプレイ装置が押ボタン部材に対する衝撃に強いことから、とくにゲームセンターにある業務用の大型テレビゲーム機の押ボタンスイッチとして、好適に用いられるものである。
【符号の説明】
【００３５】
１、１５、２０  ディスプレイ装置内蔵型押ボタンスイッチ
２、１６、２１  スイッチボディ
２ａ  フランジ部
２ｂ  ボディ本体
２ｃ  取付筒部
２ｄ  取付孔
２ｅ  雄ネジ部
２ｆ  ガイド溝
２ｇ  大間隙
２ｈ  小間隙
２ｉ  係止片
２ｊ  係止片
３  押ボタン部材
３ａ  プランジャー本体
３ｂ  クリアーキャップ
３ｃ  プランジャー部
３ｄ  挿通孔
３ｅ  スプリング受け部
３ｆ  係合片
３ｇ  スイッチ押圧部
４  スイッチ
４ａ  押ボタン
４ｂ  スイッチ本体
４ｃ  取付筒体
４ｄ  係止突起
５  ディスプレイ装置固定台
５ａ  取付脚部
５ｂ  取付凹部
６、１７、２２  ディスプレイ装置
７  ハーネス
８  コネクター
９  弾性手段
１０  操作盤
１０ａ  取付孔
１１  取付部材
１１ａ  取付筒部
１２  締付ナット
【図１】
2010287469.tif 000003
【図２】
2010287469.tif 000004
【図３】
2010287469.tif 000005
【図４】
2010287469.tif 000006
【図５】
2010287469.tif 000007
【図６】
2010287469.tif 000008
【図７】
2010287469.tif 000009
【図８】
2010287469.tif 000010
【図９】
2010287469.tif 000011